(57)【特許請求の範囲】
【請求項１】
文字板と、前記文字板の外縁部に沿って前記文字板の表面に配置される弾性の装飾部材と、を有する計器装置において、
前記文字板の外縁部に沿うように前記装飾部材の底面から前記文字板の表面に向かって突出した複数の爪部と、
前記文字板の外縁部に沿って形成されて前記複数の爪部の各々が挿入される複数の挿入部と、
前記文字板の外縁部に沿って前記挿入部から予め定められた係止位置にわたって設けられて、前記挿入部に挿入された爪部を前記挿入部からスライドさせて前記係止位置に位置付ける複数のスライド部と、
前記複数の爪部とは異なる前記装飾部材の底面部分から前記文字板の表面に向かって突出した係止部と、
前記爪部が前記係止位置に位置付けられたときに前記係止部を係止する前記文字板の部分に形成された係止受け部と、
を有することを特徴とする計器装置。
【請求項２】
前記装飾部材は、略蹄状に形成されており、
前記係止部は、前記装飾部材の端部に形成されていることを特徴とする請求項１に記載の計器装置。
【請求項３】
前記文字板は、立体的に形成されており、
前記複数の挿入部及び前記複数のスライド部は、前記文字板の外縁部寄りに形成されていることを特徴とする請求項１又は２に記載の計器装置。
【請求項４】
請求項１〜３の何れか１項に記載の計器装置の装飾部材取り付け方法であって、
前記装飾部材の複数の爪部の各々を前記文字板の表面に形成されてた複数の挿入部に挿入させる過程と、
前記複数の爪部を前記文字板の複数の挿入部に挿入した前記装飾部材を、前記文字板の外縁部に沿って前記係止位置までスライドさせる過程と、
前記複数の爪部が前記係止位置に位置付けられたときに、前記装飾部材の係止部を前記文字板の表面に形成された係止受け部に係止させる過程と、
を有することを特徴とする計器装置の装飾部材取り付け方法。
【発明の詳細な説明】
【技術分野】
【０００１】
本発明は、文字板の表面にリング状等の装飾部材を配置する計器装置及び計器装置の装飾部材取り付け方法に関するものである。
【背景技術】
【０００２】
一般に車両には、車両速度、エンジン回転、燃料残量、温度等の計測値を表示する複数種類の計器を有するコンビネーションメータが搭載されている。計器の中には、装飾性を向上させるために、装飾リングを設けたものが知られている。特許文献１に示す計器は、文字板の前方に突出したケースに複数の係合部受け部を設けると共に、文字板に複数の係合受け部の各々に対応した複数の係合部を設けて、文字板の表面から装飾リングを突出させて配置している。
【先行技術文献】
【特許文献】
【０００３】
【特許文献１】特開２００７−１２７５２３号公報
【発明の概要】
【発明が解決しようとする課題】
【０００４】
上述した従来の計器でも装飾リングの文字板に対する取り付け性はよいが、例えば文字板が立体的に形成されるように文字板形状が特殊な場合、文字板の外縁部の近傍に装飾リングを配置するにもかかわらず文字板の周りに上記ケースを配置できない場合、等では、文字板の前方に装飾リングを配置することが困難であった。
【０００５】
また、装飾リングを文字板に確実に固定するために、装飾リングの複数の係合部で係合される係合受け部を文字板に形成した場合、装飾リングを文字板に取り付けるのが困難であった。さらに、複数の係合部で装飾リングを文字板に取り付ける際に、取り付け作業が困難になると共に、文字板に多大な負荷がかかってしまう虞があった。このような問題は、装飾リングにのみ生じる問題ではなく、文字板の表面に立体的に取り付けられる装飾部材にも同様に発生する問題である。
【０００６】
よって本発明は、上述した問題点に鑑み、文字板に対して装飾部材を容易に取り付けることができる計器装置及び計器装置の装飾部材取り付け方法を提供することを課題としている。
【課題を解決するための手段】
【０００７】
上記課題を解決するため本発明によりなされた請求項１記載の計器装置は、文字板と、前記文字板の外縁部に沿って前記文字板の表面に配置される弾性の装飾部材と、を有する計器装置において、前記文字板の外縁部に沿うように前記装飾部材の底面から前記文字板の表面に向かって突出した複数の爪部と、前記文字板の外縁部に沿って形成されて前記複数の爪部の各々が挿入される複数の挿入部と、前記文字板の外縁部に沿って前記挿入部から予め定められた係止位置にわたって設けられて、前記挿入部に挿入された爪部を前記挿入部からスライドさせて前記係止位置に位置付ける複数のスライド部と、前記複数の爪部とは異なる前記装飾部材の底面部分から前記文字板の表面に向かって突出した係止部と、前記爪部が前記係止位置に位置付けられたときに前記係止部を係止する前記文字板の部分に形成された係止受け部と、を有することを特徴とする。
【０００８】
上記請求項１に記載した本発明の計器装置によれば、装飾部材が文字板に近づけられて、装飾部材の複数の爪部が文字板の複数の挿入部に挿入されると、それらの爪部の各々がスライド部を文字板の外縁部に沿ってスライドされて係止位置に位置付けられ、文字板に係止される。このとき、装飾部材の係止部は文字板の係止受け部と対向して位置付けられ、該係止受け部に係止されることで、装飾部材は文字板の表面に取り付けられる。
【０００９】
請求項２記載の発明は、請求項１に記載の計器装置において、前記装飾部材４は、略蹄状に形成されており、前記係止部は、前記装飾部材の端部に形成されていることを特徴とする。
【００１０】
上記請求項２に記載した本発明の計器装置によれば、略蹄状の装飾部材の端部に形成された係止部を文字板の係止受け部に係止することができる。
【００１１】
請求項３記載の発明は、請求項１又は２に記載の計器装置において、前記文字板は、立体的に形成されており、前記複数の挿入部及び前記複数のスライド部は、前記文字板の外縁部寄りに形成されていることを特徴とする。
【００１２】
上記請求項３に記載した本発明の計器装置によれば、立体的な文字板の外縁部寄りの表面に装飾部材を容易に取り付けることができる。
【００１３】
上記課題を解決するため本発明によりなされた請求項４記載の計器装置の装飾部材取り付け方法は、請求項１〜３の何れか１項に記載の計器装置の装飾部材取り付け方法であって、前記装飾部材の複数の爪部の各々を前記文字板の表面に形成されてた複数の挿入部に挿入させる過程と、前記複数の爪部を前記文字板の複数の挿入部に挿入した前記装飾部材を、前記文字板の外縁部に沿って前記係止位置までスライドさせる過程と、前記複数の爪部が前記係止位置に位置付けられたときに、前記装飾部材の係止部を前記文字板の表面に形成された係止受け部に係止させる過程と、を有することを特徴とする。
【００１４】
上記請求項４に記載した本発明の計器装置の装飾部材取り付け方法によれば、装飾部材の複数の爪部が文字板の表面の挿入部に挿入されると、その状態で装飾部材が文字板の外縁部に沿って係止位置までスライドされる。そして、装飾部材のスライドによって複数の爪部が係止位置に位置付けられたときに、装飾部材の係止部が文字板の表面の係止受け部に係止されることで、文字版の表面に装飾部材が取り付けられる。
【発明の効果】
【００１５】
以上説明したように請求項１、４に記載した本発明によれば、装飾部材の複数の爪部を文字板の複数のスライド部に係止可能な状態で、装飾部材を文字板の外縁部に沿ってスライドさせて係止位置に位置付け、そこで装飾部材の係止部を文字板の係止受け部に係止するようにしたことから、装飾部材を文字板の外縁部に沿ってスライドさせて係止させるだけで、文字板の表面に装飾部材を容易に取り付けることができる。また、取り付け中では複数の爪部とスライド部によって装飾部材を文字板に係止した状態を維持できるため、取り付け作業の負担を軽減することができる。また、係止部によって文字板に係止しているので、装飾部材が容易に外れることはない。さらに、装飾部材の複数の爪部は文字板の表面の挿入部に挿入すればよいことから、文字板には係止部を係止するときに負荷がかかるだけなので、文字板に過大な負荷がかかるのを防止できる。また、複数の爪部及び係止部を文字板の表面と対向する装飾部材の底面に設けたことから、文字板の外部に係止構造が不要となるため、省スペース化を実現することができる。
【００１６】
請求項２に記載の発明によれば、請求項１に記載の発明の効果に加え、装飾部材の端部に係止部を形成するようにしたことから、係止部分を容易に確認できるため、取り付け作業を容易に行うことができる。また、装飾部材の端部に係止部があるため、装飾部材を取り外す場合も、その係止を解除して取り付け時とは反対方向に装飾部材をスライドさせれば良いため、装飾部材を容易に取り外すことができる。さらに、係止部を文字板の係止受け部に係止することで、装飾部材をスライド方向とは反対の解除方向への移動を阻止すると共に、装飾部材に対する文字板の接触面と垂直方向への移動も阻止することができる。
【００１７】
請求項３に記載の発明によれば、請求項１又は２に記載の発明の効果に加え、立体的な文字板の外縁部寄りの表面に装飾部材を容易に取り付けることができるため、装飾部材を文字板の外部部材に係止させる必要がなくなり、計器装置の文字板周辺の構造を簡単化することができる。
【図面の簡単な説明】
【００１８】
【図１】本発明に係る計器装置の正面図である。
【図２】本発明に係る計器装置の文字板と装飾部材の関係を示す分解斜視図である。
【図３】図２中の部分Ａを拡大した拡大斜視図である。
【図４】図３中の装飾部材の端部を示す拡大斜視図である。
【図５】文字板のスライド部と装飾部材の爪部との関係を説明するための拡大断面図である。
【図６】文字板の係止受け部と装飾部材の係止部との関係を説明するための拡大断面図である。
【発明を実施するための形態】
【００１９】
以下、本発明に係る計器装置の実施形態の一例を、図１〜図６の図面を参照して説明する。なお、計器装置は、公知である車両のコンビネーションメータの例えば速度計、回転計、燃料計、温度計、等として用いられる。以下の本実施形態では、計器装置が速度計である場合について説明する。
【００２０】
図１において、計器装置１は、文字板２と、指針３と、装飾部材４と、中央表示体５と、を有して構成している。そして、計器装置１は、文字板２の周りを見返し６で隠匿した状態で、文字板２と指針３と装飾部材４と中央表示体５を計器装置１のケース内に収容し、それらを表硝子７によって覆っている。
【００２１】
指針３は、公知であるように、文字板２の前面に配置され、図示しない内機によって計測量に応じた指示位置に回動される。また、中央表示体５は、文字板２とは異なる表示対象を表示するものであり、液晶ディスプレイ（ＬＣＤ）等が用いられる。本実施形態の中央表示体５は、その周りに文字板２が配置されている。
【００２２】
文字板２は、表面に目盛及び数字、文字または記号等の指標２ａが設けられており、図２に示すように、立体的なリング状に形成されている。文字板２は、図５に示すように、一対の立設部２１を有し、該一対の立設部２１の間は空間となっている。即ち、文字板２は立体的な一辺が開放された箱状に形成されている。そして、文字板２は、その前面に配置された指針３の指示部と指標２ａとを協働して計測量を指示している。
【００２３】
装飾部材４は、図１，２に示すように、文字板２の外縁部２２に沿って文字板２の表面２０に配置されており、文字板２の輪郭を示している。装飾部材４は、文字板２の外縁部２２に沿った略蹄状に合成樹脂等によって形成されており、弾性を有している。なお、本実施形態の文字板２は、略蹄状に形成されていることから、外縁部２２は円弧状となっているが、文字板２の形状に応じて例えば直線状に外縁部２２を形成する等の種々異なる実施形態とすることができる。
【００２４】
装飾部材４は、図２に示すように、文字板２の外縁部２２に沿うように装飾部材４から文字板２の表面２０に向かって突出した複数の爪部４１を有している。複数の爪部４１は、例えば均一の間隔、異なる間隔、等で設けることができる。そして、爪部４１は、図５に示すように、凸部４２と、脚部４３と、を有している。
【００２５】
凸部４２は、文字板２に係止可能なフック状に形成されている。脚部４３は、装飾部材４１の底面４１ａから文字板２の厚さと同一の長さで延在しており、その先端に凸部４２が形成されている。この構成により、装飾部材４１の底面４１ａと凸部４２との間に、文字板２をスライド自在に位置付けることが可能となっている。
【００２６】
文字板２は、図２に示すように、その外縁部２２に沿って形成されて複数の爪部４１の各々が挿入される複数の挿入部２３を有している。複数の挿入部２３は、装飾部材４の複数の爪部４１の各々に一対一に対応して文字板に形成されている。挿入部２３は、装飾部材４の凸部４２が挿入可能な形状に形成されており、文字板２を貫通する貫通孔となっている。なお、挿入部２３は、装飾部材４の凸部４２を挿入したときに、文字板２と装飾部材４の底面４１ａと接触する程度まで装飾部材４１を文字板２に近づけられれば、貫通孔でなく凹部でもよい。
【００２７】
文字板２は、図１，２に示すように、その外縁部２２に沿って挿入部２３から予め定められた係止位置Ｐにわたって設けられて、挿入部２３に挿入された爪部４１を文字板２に係止可能な状態で挿入部２３からスライドさせて係止位置Ｐに位置付ける複数のスライド部２４を有している。なお、係止位置Ｐとは、装飾部材４を文字板２の取り付ける装飾部材４の取り付け位置となっている。また、係止可能な状態とは、爪部４１が文字板２から遠ざかる方向に移動する時に、文字板２と係止して遠ざかる方向への移動を阻止する状態を意味している。
【００２８】
スライド部２４は、図５に示すように、装飾部材４の脚部４３がスライド可能かつ凸部４２が係止する溝状に形成されている。そのため、装飾部材４を図２に示すスライド方向Ｓにスライドさせても、凸部４２が文字板２に係止して文字板２から装飾部材４が離れることを防止できる。
【００２９】
装飾部材４は、複数の爪部４１とは異なる装飾部材４の部分から文字板２に向かって突出した係止部４４を有している。本実施形態では、図２に示すように、略蹄状の装飾部材４の端部に１つの係止部４４を形成している。なお、係止部４４については、装飾部材４の両端に設けることもできる。そして、係止部４４は、図３，４に示すように、装飾部材４の端部から延在した延在部４５に形成されており、該延在部４５の端部から文字板２に向かって突出している。係止部４４は、前記複数の爪部４１の係止解除方向（スライド方向Ｓとは反対方向）に延びる爪形状となっている。
【００３０】
文字板２は、図２，６に示すように、装飾部材４の複数の爪部４１が前記係止位置Ｐに位置付けられたときに係止部４４を係止する文字板２の部分に形成された係止受け部２５を有している。係止受け部２５は、装飾部材４の係止部４４に対応して設けられ、文字板２を貫通する貫通孔となっている。
【００３１】
次に、上述した構成の計器装置１における文字板２に対する装飾宇材４の組み付け方法の一例を以下に説明する。
【００３２】
まず、装飾部材４を文字板２に近づけて、装飾部材４の複数の爪部４１の各々を文字板２の挿入部２３に挿入する。このとき、装飾部材４の係止部４４は文字板２の表面２０に当接した状態となっている。そして、文字板２の外縁部２２に沿って係止位置Ｐまでスライド方向Ｓに装飾部材４をスライドさせる。これにより、装飾部材４は、複数の爪部４１が文字板２に係止された状態となり、文字板２から外れることはない。また、装飾部材４の係止部４４は文字板２の係止受け部２５に位置付けられているため、係止部４４を係止受け部２５に係止させる。これにより、装飾部材４は、複数の爪部４１と１つの係止部４４によって文字板２の表面２０にロックされるため、容易に外れることはない。
【００３３】
また、文字板２から装飾部材４を取り外す場合、装飾部材４の延在部４５を文字板２から離す方向に持ち上げてロックを解除した後、装飾部材４をスライド方向Ｓとは反対の方向にスライドさせることで、装飾部材４の複数の爪部４１を文字板２の挿入部２３から外すことができる。よって、装飾部材４を文字板２から容易に外すことができる。
【００３４】
以上説明したように計器装置１によれば、装飾部材４の複数の爪部４１を文字板２の複数のスライド部２４に係止可能な状態で、装飾部材４を文字板２の外縁部２２に沿ってスライドさせて係止位置Ｐに位置付け、そこで装飾部材４の係止部４４を文字板２の係止受け部２５に係止するようにしたことから、装飾部材４を文字板２の外縁部２２に沿ってスライドさせて係止させるだけで、文字板２の表面２０に装飾部材４を容易に取り付けることができる。また、取り付け中では複数の爪部４１とスライド部２４によって装飾部材４を文字板２に係止した状態を維持できるため、取り付け作業の負担を軽減することができる。また、係止部４４によって文字板２に係止しているので、装飾部材４が容易に外れることはない。さらに、装飾部材４の複数の爪部４１は文字板２の挿入部２３に挿入すればよく、文字板２には係止部４４を係止するときに負荷がかかるだけなので、文字板２に過大な負荷がかかるのを防止できる。また、複数の爪部４１及び係止部４４を文字板２の表面と対向する装飾部材４の底面４１ａに設けたことから、文字板２の外部に係止構造が不要となるため、省スペース化を実現することができる。
【００３５】
また、装飾部材４の端部に係止部４４を形成するようにしたことから、係止部分を容易に確認できるため、取り付け作業を容易に行うことができる。また、装飾部材４の端部に係止部４４があるため、装飾部材４を文字板２から取り外す場合も、その係止を解除して取り付け時とは反対方向に装飾部材４をスライドさせれば良いため、装飾部材４を容易に取り外すことができる。さらに、係止部４４を文字板２の係止受け部２５に係止することで、装飾部材４をスライド方向Ｓとは反対の解除方向への移動を阻止すると共に、装飾部材４に対する文字板２の接触面と垂直方向への移動も阻止することができる。
【００３６】
さらに、立体的な文字板２の外縁部２２寄りの表面２０に装飾部材４を容易に取り付けることができるため、装飾部材４を文字板２の外部部材に係止させる必要がなくなり、計器装置１の文字板２周辺の構造を簡単化することができる。
【００３７】
なお、上述した実施形態では、文字板２を立体的に形成した場合について説明したが、本発明はこれに限定するものではなく、平板状の文字板として上述した効果を得ることができる。
【００３８】
また、上述した実施形態では、装飾部材４のスライド方向Ｓが円弧状の場合について説明したが、本発明はこれに限定するものではなく、例えば文字板２が方形状であれば、文字板２のスライド部２４を直線的に形成してスライド方向を直線状にするというように、文字板２の外形等に応じて種々異なる実施形態とすることができる。
【００３９】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００４０】
１    計器装置
２    文字板
４    装飾部材
２２    外縁部
２３    挿入部
２４    スライド部
２５    係止受け部
４１    爪部
４４    係止部
【図１】
0005406092.tif 000002
【図２】
0005406092.tif 000003
【図３】
0005406092.tif 000004
【図４】
0005406092.tif 000005
【図５】
0005406092.tif 000006
【図６】
0005406092.tif 000007